(57)【要約】      （修正有）【課題】照明装置と表示装置との光学干渉を軽減でき、しかも、照明装置の発光を制御することで視認性を高め、高い光利用効率を実現できる照明装置を提供する。【解決手段】光の反射を電気的に制御することで表示を行う反射型の表示装置１０と対向するように配置された照明装置２０において、透光性の基板上に分散して配置された複数の発光部２１があり、発光部から出射される光の放射分布を変える光制御層を配置し、発光部の配置周期が表示装置の画素１２の配列周期と異なる周期で配列されている。【選択図】図１
2020101720.tif 000002
【特許請求の範囲】
【請求項１】
表示装置と観測者側との間に、平面視で重なるように配置された照明装置を備え、前記表示装置は、単位画素が、表示平面上の第１の方向に沿って、第１画素周期で配列され、かつ、第２の方向に沿って、第２画素周期で配列された表示領域を構成し、周囲環境もしくは照明装置からの光の反射を電気的に制御することで表示を行う反射型の表示装置であり、前記照明装置は、透光性の基板の第１平面上に分散して配置される複数の発光部をもち、前記発光部は、第１電極が形成され、第１電極を覆うように絶縁層が形成され、前記絶縁層に、第１電極に平面視で重なり面積が小さいコンタクト部（絶縁層を除去した部分）を設け、前記コンタクト部を覆うように電流駆動型の発光層が堆積され、発光層に接するように第２電極を堆積した積層構造であり、第１電極と第２電極の、少なくとも一方は透光性の導電層で、発光層から出射される光の発光分布を変える光制御構造を具備し、前記発光部は、第１方向に沿って第１発光間隔を隔てて配列され、第２方向に沿って第２発光間隔を隔てて配列され、前記表示装置の第１画素周期と照明装置の第１発光間隔との比、および、第２画素周期と第２発光間隔との比が、非整数倍であることを特徴とする照明装置。
【請求項２】
前記表示装置の第１画素周期と前記照明装置の第１発光間隔との比、および、前記表示装置の第２画素周期と前記照明装置の第２発光間隔との比が、(Ｎ＋Ｘ)倍として表され、Ｎは整数、Ｘは小数点以下を示し、０．０５＜Ｘ＜０．４５、０．５５＜Ｘ＜０．９５で表わされる範囲であることを特徴とする請求項１に記載の照明装置
【請求項３】
前記照明装置の第１方向に沿って第１発光間隔を隔てて配列された複数の発光部の中心座標と、第２方向に沿って第２発光間隔を隔てて、第１方向に沿って第１発光間隔を隔てて配列された複数の発光部の中心座標が、第２の方向へ平行移動しても重ならないように配置したことを特徴とする請求項１乃至２の何れかに記載の照明装置。
【請求項４】
表示装置と観測者側との間に、平面視で重なるように配置された照明装置を備え、前記表示装置は、単位画素が、表示平面上の第１の方向に沿って、第１画素周期で配列され、かつ、第２の方向に沿って、第２画素周期で配列された表示領域を構成し、周囲環境もしくは照明装置からの光の反射を電気的に制御することで表示を行う反射型の表示装置であり、前記照明装置は、透光性の基板の第１平面上に分散して配置される複数の発光部をもち、前記発光部は、第１電極が形成され、第１電極を覆うように絶縁層が形成され、前記絶縁層に、第１電極に平面視で重なり面積が小さいコンタクト部（絶縁層を除去した部分）を設け、前記コンタクト部を覆うように電流駆動型の発光層が堆積され、発光層に接するように第２電極を堆積した積層構造であり、第１電極と第２電極の、少なくとも一方は透光性の導電層で、発光層から出射される光の発光分布を変える光制御構造を具備し、前記照明装置の第１方向に沿って隣接する発光部の第一方向への隣接距離が少なくとも２種類以上あり、且つ、前記照明装置の発光面全体における、第一方向への隣接発光部間の距離の平均距離と、それそれ隣接する発光部の距離との差の絶対値が、２０ｕｍ以下であり、また、前記照明装置の第１方向に沿って隣接する発光部の第一方向への隣接距離がランダムで、且つ、前記照明装置の発光面全体における、第一方向への隣接発光部間の距離の平均距離と、それそれ隣接する発光部の距離との差の絶対値が、２０ｕｍ以下であることを特徴とする照明装置。
【請求項５】
前記照明装置の任意の一つの発光部を中心に周囲に配置されている発光部との中心を結ぶ直線距離の平均を周辺との隣接平均距離とし、前記照明装置の発光面全体に配列されたすべての発光部の周辺との隣接平均距離の平均値と、任意の一つの発光部を中心に周囲に配置されている発光部の周辺との隣接平均距離の差の絶対値が１０ｕｍ以下であることを特徴とする、請求項４に記載の照明装置。
【請求項６】
前記発光層に接する第１電極、第２電極のうち、一方が金属光沢を有する導電層で形成されていることを特徴とする、請求項１乃至５の何れかに記載の照明装置。
【請求項７】
前記発光層に接する第１電極、第２電極のうち、一方が金属光沢を有する導電層で、前記導電層が凹凸構造を有していることを特徴とする、請求項１乃至５の何れかに記載の照明装置。
【請求項８】
前記発光層に接する第１電極、第２電極は透光性の導電層で形成され、いずれか一方の電極側に、発光領域に平面視で重なり、発光領域よりも大きな面積の金属光沢を有する反射層に凹凸構造が形成されていることを特徴とする、請求項１乃至５何れかに記載の照明装置。
【請求項９】
前記発光層に接する第１電極、第２電極のうち、少なくとも一方の電極に給電する為の配線は、電極を形成する材料と同一の導電層で形成されていることを特徴とする、請求項１乃至５の何れかに記載の照明装置。
【請求項１０】
前記発光層に接する第１電極、第２電極に給電する為の配線が金属配線であることを特徴とする、請求項１乃至５の何れかに記載の照明装置。
【請求項１１】
前記金属光沢有する導電層または反射層の一方の平面に平面視で重なり、面積的に等しい、もしくは大きい、光の反射を低減する低反射層、もしくは光を吸収する光吸収層を積層していることを特徴とする、請求項１乃至５の何れかに記載の照明装置。
【請求項１２】
前記１つの発光部に対して、複数のコンタクト部を形成して、発光領域と非発光領域とが混在していることを特徴とする、請求項１乃至５の何れかに記載の照明装置。
【請求項１３】
前記１つの発光部に対して、複数の発光領域と非発光領域が、発光部中心からの距離が等しく交互に形成されていることを特徴とする照明装置。
【請求項１４】
前記１つの発光部に対して、複数の発光領域と非発光領域が、発光部中心からの距離は等しく交互に形成されており、中心部が非発光領域で、中心からの非発光領域との距離とが、焦点距離をＨとし波長をλ０で表した場合に、条件式（１）で表されることを特徴とする、請求項８に記載の照明装置。
【数１】
2020101720.tif 000005
【請求項１５】
前記１つの発光部に対して、複数の発光領域と非発光領域が、発光部中心からの距離は等しく交互に形成されており、中心部が発光領域で、中心からの発光領域との距離とが、焦点距離をＨとし波長をλ０で表した場合に、条件式（２）で表されることを特徴とする、請求項８に記載の照明装置。
【数２】
2020101720.tif 000006
【請求項１６】
前記反射型の表示装置と前記照明装置との間に、前記表示装置の表示領域と平面視で重なるように配置された光制御機能層を具備し、前記光制御機能層は、入射した光の発光分布を、前記光制御機能層を通過後に、入射時とは異なる光の発光分布に変換するするような特徴を有する照明装置。
【請求項１７】
前記反射型の表示装置と前記照明装置と間に設置した前記光制御機能層は、前記光制御機能層に入射した光の発光分布が、前記光制御機能層を通過後に、入射時とは異なる光の発光分布となるような、異方性散乱特性を有することを特徴とする照明装置。
【請求項１８】
前記照明装置で、照明装置面内を、２つ以上の領域に分割し、それぞれ点灯状態を独立に制御できることを特徴とする照明装置。
【請求項１９】
前記分割された領域に対して、金属光沢を有する反射導電層もしくは反射層が、発光層を挟んで対向する位置に形成され、２種類以上の異なる放射光分布を持つことを特徴とする照明装置。
【請求項２０】
前記照明装置の少なくとも一つの領域は、観測者側から直視が可能な発光分布をもち、単純マトリックス駆動表示を行うことを特徴とする、請求項１９に記載の照明装置。
【請求項２１】
前記照明装置で発光素子が形成されている基板平面上に、第１電極と第２電極とは電気的に絶縁された導電配線を用いてセンサを形成していることを特徴とする照明装置。
【請求項２２】
前記照明装置上に形成されたセンサは、容量検出型の入力装置であることを特徴とする、請求項２１に記載の照明装置。
【請求項２３】
前記照明装置で、発光素子が形成されている基板平面上に、第１電極と第２電極に電気的に接続している給電の為の配線の一部に、スリット部が設けられていることを特徴とする、請求項１乃至５の何れかに記載の照明装置。
【請求項２４】
前記、第１電極と第２電極に電気的に接続している給電のため配線の一部に導電層がないスリット部が設けられて、スリット部内の領域に、平面視で、第１電極もしくは第２電極に電気的に接続している給電のため配線の一部領域と、第１電極と第２電極に電気的に接続している給電のため配線が全く重ならない領域を持つことを特徴とする、請求項１乃至５の何れかに記載の照明装置。
【発明の詳細な説明】
【技術分野】
【０００１】
本発明は、反射型表示装置の照明装置に係り、特に、照明装置の発光素子から照射される光の出力を制御することができる機能を備えた照明装置、及び、照明装置を備えた表示装置に関する。
【背景技術】
【０００２】
環境光や照明光を利用し、光の反射特性を制御することによって画像を表示する反射型表示装置がある。
【０００３】
反射型表示装置としては、反射型液晶表示パネルや電子ペーパーなどがあり、反射型液晶表示パネルは、光を反射する反射を備えており、液晶層によって光の反射率を制御することによって画像を表示する。また、電子ペーパーは、例えば白色と黒色とカラーの顔料を画像データに応じて移動させるなどといった電気的な駆動によって、表面付近の顔料種類を変えて画像を表示する。
【０００４】
反射型の表示部を備えた表示装置は外光を利用して画像を表示するため、透過型ＬＣＤのバックライトやＯＬＥＤにみられる発熱も少ないことから、大容量の冷却装置等が不要で、低消費電力駆動が可能で、薄型化、軽量化を実現することができ、例えば、時計や屋外用の広告表示装置として期待されている。
【０００５】
反射型の表示装置は、明るい外光環境下であれば、画像を視認することができる。しかしながら、薄暗い、または暗い外光環境下では画像の視認性が著しく低下する。照度の低い環境下における視認性を高めるために、反射表示装置の前面から反射表示部に光を照射する補助照明装置（フロントライト方式）を備えた構成が知られている。
【０００６】
このような照明装置として、基板上に分散して配列された複数の発光素子部を備えた照明装置が提案されている（特許文献１参照）。この照明装置は、表示装置の表示領域に平面的に重なるように、透光性の基板に小さい発光領域を持つ発光素子を所定の間隔で配置し、発光素子からの発光で反射型表示装置を照明することで、暗い環境での視認性を確保できる。
【先行技術文献】
【特許文献】
【０００７】
【特許文献１】特表２０１０−５４７１６１号公報
【特許文献２】特開２０１０−１９８４１５号公報
【特許文献３】特開２０１３−７３８６８号公報
【特許文献４】特開２０１３−２１８０５７号公報
【発明の概要】
【発明が解決しようとする課題】
【０００８】
上述した特許文献に記載の照明装置は、光を透過させることが可能な透光性基板の片側平面に等方的に光を放射する機能を備えて反射型表示を照射する。
【０００９】
しかしながら、照明装置と反射型表示装置、例えば反射型液晶表示装置と照明装置とを組み合わせた場合、表示装置の画素と照明装置の発光部と発光状態を制御するための電極配線とが干渉し、いわゆるモアレが発生することがある。また、照明装置から放射される光の強度分布によって、反射型表示装置の光学特性や光利用効率を低下させることがある。屋内外問わず高い視認性を持ち、低消費電力を実現できる表示装置への期待は高い。反射表示装置の補助照明としてだけでなく、部分的に観測者側にも発光させる、直視する表示デバイスとしての応用も期待されている。
【００１０】
本発明の目的は、かかる問題点に鑑みてなされたもので、その目的は、反射型表示装置と照明装置の干渉によるモアレを抑制し、照明装置からの出射光を制御することで、光の利用効率の高め、均一性の高い照明装置を提供することにある。
【課題を解決するための手段】
【００１１】
表示装置と観測者側との間に、平面視で重なるように配置された照明装置を備え、前記表示装置は、単位画素が、表示平面上の第１の方向に沿って、第１画素周期で配列され、かつ、第２の方向に沿って、第２画素周期で配列された表示領域を構成し、
周囲環境もしくは照明装置からの光の反射を電気的に制御することで表示を行う反射型の表示装置であり、前記照明装置は、透光性の基板の第１平面上に分散して配置される複数の発光部をもち、前記発光部は、第１電極が形成され、第１電極を覆うように絶縁層が形成され、前記絶縁層に、第１電極に平面視で重なり面積が小さいコンタクト部（絶縁層を除去した部分）を設け、前記コンタクト部を覆うように電流駆動型の発光層が堆積され、発光層に接するように第２電極を堆積した積層構造であり、第１電極と第２電極の、少なくとも一方は透光性の導電層で、発光層から出射される光の発光分布を変える光制御構造を具備し、前記発光部は、第１方向に沿って第１発光間隔を隔てて配列され、第２方向に沿って第２発光間隔を隔てて配列され、前記表示装置の第１画素周期と照明装置の第１発光間隔との比、および、第２画素周期と第２発光間隔との比が、非整数倍であることを特徴とする照明装置である。
【００１２】
表示装置と観測者側との間に、平面視で重なるように配置された照明装置を備え、前記表示装置は、単位画素が、表示平面上の第１の方向に沿って、第１画素周期で配列され、かつ、第２の方向に沿って、第２画素周期で配列された表示領域を構成し周囲環境もしくは照明装置からの光の反射を電気的に制御することで表示を行う反射型の表示装置であり、前記照明装置は、透光性の基板の第１平面上に分散して配置される複数の発光部をもち、前記発光部は、第１電極が形成され、第１電極を覆うように絶縁層が形成され、前記絶縁層に、第１電極に平面視で重なり面積が小さいコンタクト部（絶縁層を除去した部分）を設け、前記コンタクト部を覆うように電流駆動型の発光層が堆積され、発光層に接するように第２電極を堆積した積層構造であり、第１電極と第２電極の、少なくとも一方は透光性の導電層で、発光層から出射される光の発光分布を変える光制御構造を具備し、前記照明装置の第１方向もしくは第２方向に沿って隣接する発光部の第一方向への隣接距離が少なくとも２種類以上ありランダム配列されている照明装置である
【００１３】
表示装置と観測者側との間に、平面視で重なるように配置された照明装置を備え、前記表示装置は、単位画素が、表示平面上の第１の方向に沿って、第１画素周期で配列され、かつ、第２の方向に沿って、第２画素周期で配列された表示領域を構成し周囲環境もしくは照明装置からの光の反射を電気的に制御することで表示を行う反射型の表示装置であり、前記照明装置は、透光性の基板の第１平面上に分散して配置される複数の発光部をもち、前記発光部は、第１電極が形成され、第１電極を覆うように絶縁層が形成され、前記絶縁層に、第１電極に平面視で重なり面積が小さいコンタクト部（絶縁層を除去した部分）を設け、前記コンタクト部を覆うように電流駆動型の発光層が堆積され、発光層に接するように第２電極を堆積した積層構造であり、第１電極と第２電極の、少なくとも一方は透光性の導電層で、発光層から出射される光の発光分布を変える光制御構造を具備し、前記反射型の表示装置と前記照明装置との間に、前記表示装置の表示領域と平面視で重なるように配置された光制御機能層を具備し、前記光制御機能層は、入射した光の発光分布を、前記光制御機能層を通過後に、入射時とは異なる光の発光分布に変換するするような特徴を有する照明装置である。
【００１４】
表示装置と観測者側との間に、平面視で重なるように配置された照明装置を備え、前記表示装置は、単位画素が、表示平面上の第１の方向に沿って、第１画素周期で配列され、かつ、第２の方向に沿って、第２画素周期で配列された表示領域を構成し周囲環境もしくは照明装置からの光の反射を電気的に制御することで表示を行う反射型の表示装置であり、前記照明装置は、透光性の基板の第１平面上に分散して配置される複数の発光部をもち、前記発光部は、第１電極が形成され、第１電極を覆うように絶縁層が形成され、前記絶縁層に、第１電極に平面視で重なり面積が小さいコンタクト部（絶縁層を除去した部分）を設け、前記コンタクト部を覆うように電流駆動型の発光層が堆積され、発光層に接するように第２電極を堆積した積層構造であり、第１電極と第２電極の、少なくとも一方は透光性の導電層で、発光層から出射される光の発光分布を変える光制御構造を具備し、前記照明装置で、照明装置面内を、２つ以上の領域に分割し、それぞれ点灯状態を独立に制御できることを特徴とする照明装置である。
【００１５】
表示装置と観測者側との間に、平面視で重なるように配置された照明装置を備え、前記表示装置は、単位画素が、表示平面上の第１の方向に沿って、第１画素周期で配列され、かつ、第２の方向に沿って、第２画素周期で配列された表示領域を構成し周囲環境もしくは照明装置からの光の反射を電気的に制御することで表示を行う反射型の表示装置であり、前記照明装置は、透光性の基板の第１平面上に分散して配置される複数の発光部をもち、前記発光部は、第１電極が形成され、第１電極を覆うように絶縁層が形成され、前記絶縁層に、第１電極に平面視で重なり面積が小さいコンタクト部（絶縁層を除去した部分）を設け、前記コンタクト部を覆うように電流駆動型の発光層が堆積され、発光層に接するように第２電極を堆積した積層構造であり、第１電極と第２電極の、少なくとも一方は透光性の導電層で、発光層から出射される光の発光分布を変える光制御構造を具備し、前記照明装置で発光素子が形成されている基板平面上に、第１電極と第２電極とは電気的に絶縁された導電配線を用いてセンサを形成していることを特徴とする照明装置である。
【００１６】
表示装置と観測者側との間に、平面視で重なるように配置された照明装置を備え、前記表示装置は、単位画素が、表示平面上の第１の方向に沿って、第１画素周期で配列され、かつ、第２の方向に沿って、第２画素周期で配列された表示領域を構成し周囲環境もしくは照明装置からの光の反射を電気的に制御することで表示を行う反射型の表示装置であり、前記照明装置は、透光性の基板の第１平面上に分散して配置される複数の発光部をもち、前記発光部は、第１電極が形成され、第１電極を覆うように絶縁層が形成され、前記絶縁層に、第１電極に平面視で重なり面積が小さいコンタクト部（絶縁層を除去した部分）を設け、前記コンタクト部を覆うように電流駆動型の発光層が堆積され、発光層に接するように第２電極を堆積した積層構造であり、第１電極と第２電極の、少なくとも一方は透光性の導電層で、発光層から出射される光の発光分布を変える光制御構造を具備し、前記照明装置で、発光素子が形成されている基板平面上に、第１電極と第２電極に電気的に接続している給電の為の配線の一部に、スリット部が設けられていることを特徴とする、請求項１乃至５の何れかに記載の照明装置である。
【発明の効果】
【００１７】
上記構成により、反射型表示装置の表示特性および光利用効率を改善可能な照明装置および、照明装置を具備した表示装置を提供することができる。
【図面の簡単な説明】
【００１８】
【図１】本発明の実施の形態に係る照明装置を備えた表示装置の模式的な分解斜視図である。
【図２】表示装置の画素の配列を示した平面図である。
【図３】本発明の実施の形態に係る照明装置の発光部の配置を示した平面図である。
【図４】本発明の実施の形態に係る照明装置および表示装置との配置関係の模式的な断面図である。
【図５】本発明の実施の形態に係る照明装置の発光部の配置間隔を示した図である。
【図６】本発明の実施の形態に係る照明装置の発光部から照明される光の表示装置上の分布を示した平面図である。
【図７】本発明の実施の形態に係る照明装置の発光部の配置周期と表示装置の画素配列周期との周期の違いが画質に及ぼす影響を調査した結果を示した図である。
【図８】本発明の実施の形態に係る照明装置の発光部の配置周期と表示装置の画素配列周期と比が画質に及ぼす影響を調査した結果を示した図である。
【図９】本発明の実施の形態に係る照明装置の発光部のランダム配置設計を説明する図である。
【図１０】本発明の実施の形態に係る表示装置の画素配列周期と照明装置の発光部の配置にランダム配置設計を行った際の画質に及ぼす影響を調査した結果を示した図である。
【図１１】本発明の実施の形態に係る照明装置の発光部のランダム設計を説明する図である。
【図１２】本発明の実施の形態に係る表示装置の画素配列周期と照明装置の発光部の配置にランダム設計を行った際の画質に及ぼす影響を調査した結果を示した図である。
【図１３】図１３の（Ａ）乃至（Ｃ）は、本発明の実施の形態に係る照明装置の発光部の構成を説明するための模式的な断面図である。
【図１４】図１４の（１）乃至（６）は、本発明の実施の形態に係る照明装置の発光部の構成を説明するための模式的な断面図である。照明装置の発光部の構成を説明するための模式的な断面図である。
【図１５】本発明の実施の形態に係る照明装置の発光部の構成と光の分布を説明するための模式的な断面図である。
【図１６】本発明の実施の形態に係る照明装置の発光部の構成を示す平面図である。
【図１７】本発明の実施の形態に係る照明装置を表示装置と光機能層を示す模式的な断面図である。
【図１８】本発明の実施の形態に係る照明装置を表示装置と光機能層を示す模式的な断面図である。
【図１９】本発明の実施の形態に係る照明装置の発光部の点灯を制御する為の配線を模式的に示した平面図である。
【図２０】本発明の実施の形態に係る照明装置の発光部の点灯を部分的に制御する為の配線を模式的に示した平面図である。
【図２１】本発明の実施の形態に係る照明装置の発光部の点灯を部分的に制御する為の配線を模式的に示した平面図である。
【図２２】本発明の実施の形態に係る照明装置の発光部と近接検知素子を制御する関係を説明する為の模式的な平面図である。
【図２３】本発明の実施の形態に係る照明装置の発光部の電極形状を説明するための模式的な断面図である。
【図２４】本発明の実施の形態に係る照明装置の発光部の電極形状を説明するための模式的な断面図である。
【図２５】本発明の実施の形態に係る照明装置の発光部の電極形状を説明するための模式的な断面図である。
【図２６】本発明の実施の形態に係る照明装置の発光部の電極形状を説明するための模式的な断面図である。
【図２７】本発明の実施の形態に係る照明装置の発光部の電極形状を説明するための模式的な断面図である。
【図２８】照明装置を備えた表示装置の適用例を示す模式的な分解斜視図である。
【図２９】照明装置を備えた表示装置の適用例を示す模式的な分解斜視図である。
【図３０】照明装置を備えた表示装置の適用例を示す模式的な分解斜視図である。
【発明を実施するための形態】
【００１９】
本開示に係る照明装置および表示装置に関する説明を以下に、本発明の実施の形態について、図面を参照しながら記述する。なお、開示の内容は、あくまで一例にすぎず、当業者において、発明の主旨と同義な変形例について容易に想到し得るものについては、本発明の範囲に含有されるものである。また、図面は説明をより明確にするため、実際の実施形態に比べ、各部の幅、厚さ、形状等について模式的に表される場合があるが、あくまで例示であって、本発明の解釈を限定するものではない。
【００２０】
図１は、実施の形態に係る照明装置２０を備えた表示装置１０の模式的な分解斜視図である。表示装置１０は、複数の画素１２で構成される表示領域１1、及び、表示領域１１に平面視で重なるように配置される照明装置２０を備えている。表示装置１０は、例えば、反射型の液晶表示パネルや電子ペーパーから成る。以下の説明において表示装置１０はカラー表示でもモノクロ表示でもよく、これに限るものではない。
【００２１】
図１の表示装置１０と照明装置２０を平面に表したものを図２と図３に示す。図２の表示装置１０は、表示する映像信号に応じて動作する図示せぬ表示部用の駆動回路によって駆動され、画素１２はＸ（第１の方向）―Ｙ（第２の方向）平面上に周期的に配列されている。表示領域１１の、隣接画素は、Ｘ方向に距離ＰＸ、Ｙ方向に距離ＰＹを保って面内に規則的に配されている。図２のＰＸとＰＹはいわゆる画素サイズを示している。次に、表示装置のＸ−Ｙ平面に垂直に交わる方向（Ｚ方向）に、図３に示す照明装置２０と図２の表示装置１０は、平面視で重なるように配置されている。照明装置の発光部２１は、第１電極に接続している金属配線２２と第２電極に電気的に接している透光性を示す導電層２３から電流供給を受け発光する電流駆動型の発光素子が形成されている。また、第１電極と第２電極で発光素子の発光状態を制御する。
【００２２】
図４は、図１の照明装置２０と表示装置１０とが一体型となった表示装置の構造断面図を示す。照明装置２０は、表示装置１０と接着層３１を介してラミネートされている構成を示している。また、照明装置２０は、透光性の基板３０の平面上に周期的に分散配置された複数の発光部２１を備え、発光部２１から放射される発光４０は、反射型の表示装置１０側へ放射されるよう、発光素子が形成されている。次に、図４に示した表示装置１０の構造について説明する。表示装置１０は、反射型の液晶表示装置の概略図を示しており、互いに対向するアレイ基板１４と対向基板１３とを有している。アレイ基板１４と対向基板１３との間には液晶層１８が設けられている。アレイ基板１４には、図２に示すように、第１の方向、第２の方向に周期的に配列された、複数の画素１２を有する。アレイ基板１４上の画素１２は、不図示だが、電気的に液晶層に電圧を制御するＴＦＴスイッチング素子を具備していて、画素電極は、例えばＡｌ（アルミニウム）又はＡｇ（銀）のような反射率の高い金属光沢を有する材料で形成されている。外光が画素電極に反射することで、観測者に画像を表示する。
【００２３】
表示装置１０の対向基板１３は、例えばガラス等の透明性を有する基板から成り、対向基板１３は液晶層１８側に接する面に、対向電極及びカラーフィルタを有する。対向電極は、カラーフィルタ層と液晶層１８との間に設けられている。画素は、複数の副次画素に分割されており、例えば、３つの副次画素に分割され構成される画素１２の場合、第１の副次画素には第１の色１５（例えば赤色Ｒ）、第２の副次画素には第２の色１６（例えば緑色Ｇ）及び第３の副次画素には第１の色１７（例えば青色Ｂ）を透過するカラーフィルタが形成されている。副次画素に分割され、複数の異なる色を透過するカラーフィルタの隣接部や副次画素の周囲は、遮光機能を持つ材料で区切られている構造でもよい。また、カラーフィルタ層を覆うように対向電極が形成され、対向電極はＩＴＯ（Ｉｎｄｉｕｍ  Ｔｉｎ  Ｏｘｉｄｅ）又はＩＺＯ（Ｉｎｄｉｕｍ  Ｚｉｎｃ  Ｏｘｉｄｅ）等の透光性を有する導電性材料で形成されている。液晶層は、アレイ基板１４上に形成された反射電極と対向基板１３上に形成された対向電極との間で、画像に応じた電圧が印加され、液晶層１８内に電界を生じさせる。液晶層１８に印加された電圧により生じた電界により液晶素子の配列秩序が変わり、複屈折率が変化し、外光の反射量を調整する。液晶モードは、縦電界方式でも、表示面に平行な方向に電界を発生させる横電界方式であってもよい。
【００２４】
図３は照明装置２０の発光素子からの放射光を直視できる方向から見た平面図で、第１方向に延在する配線２２が第２方向に複数形成され、配線２２は図２の表示装置１０の表示領域１１以外で結線されている。照明装置２０は、また、第１方向（Ｘ方向）に延在する配線２２は発光部２１で発光素子の第１電極と電気的につながっている。次に、発光部２１を覆うように形成されている平面電極２３は発光部２１で発光素子に第２電極として接している。また、発光部２１の配置ピッチは、Ｘ方向（第１の方向）に距離ＬＸを隔てて配列され、Ｙ方向に距離ＬＹを隔てて配列した構成となる。発光部２１を、Ｘ−Ｙ平面上にＸ方向にｎ番目、Ｙ方向にｍ行目とし、L（ｎ、ｍ）と例示する場合、例えば、図３の最上部の発光部の左側からｎ番目に配列されている発光部を、それぞれをＬ（１１）、Ｌ（１２）から、Ｌ（ｎ１）と表され、任意の発光部２１はＬ（ｎｍ）で表す。
【００２５】
図５は、図３の照明装置２０の発光領域の一部を拡大した図である。図１、図２の発光部２１の位置および配線配置はあくまで例示に過ぎない。また、図示を用いるの都合上、サイズを拡大して模式的に示した。発光点２１の配置位置関係を示す。発光点Ｌ（ｎ、ｍ）は、Ｘ―Ｙ平面で表す場合、Ｘ方向に隣接する発光点間の配置周期はＬＸ、Ｙ方向に隣接する発光点間の配置周期はＬＹとなっているが、発光点Ｌ（ｎ、ｍ）とＬ（ｎ、ｍ＋１）とは、発光点の配置座標がＸ方向に△ＬＸ、Ｙ方向にＬＹ隔て配置されており、発光点をＹ方向に平行移動しても発光点の中心座標は重ならないことを特徴としている。
【００２６】
図６の発光点Ｌ（ｎｍ）を中心として点線で表されるＬＵＭ（ｎ、ｍ）は、発光点Ｌ（ｎ、ｍ）からの放射される光が、表示装置の表示領域平面上を照明する領域を示した図である。図はあくまで例示に過ぎない。一般に、表示領域平面上の照度は、発光点からの距離に依存し、発光点との距離が短く、平面視で発光点と重なる部分ほど照度が高い。発光点からの距離が長くなるほど、照度は低下する傾向を示す。前述したとおり、隣接する図６に示すようなＹ方向に隣接するＹによってＸ方向への配列位置をかえることで、反射表示装置の表面上での照度分布の平滑性が向上し、反射表示装置の画質向上することができる。以上のような照明装置においては、発光点Ｌ（ｎ．ｍ）が、Ｘ方向に距離ＬＸ、Ｙ方向に距離ＬＹを隔てて配置された照明装置２０と、図２に示した表示画素がＸ方向に距離ＰＸ、Ｙ方向に距離ＰＹで配置された表示装置１０とを、平面視で重ねると、配列周期の干渉によりモアレが発生することがある。
【００２７】
図７は、画素の配列周期が異なる表示装置と発光部の配置周期がことなる照明装置を組み合わせた場合の画質を評価した結果を示す。３つの条件の表示装置の画素配列に対し、それぞれ照明装置の発光部の配列周期の条件を振った場合のモアレの観察評価結果をモアレレベルとしている。モアレの評価結果は、最も良好である場合（モアレが表示に与える影響が最も小さい場合）をレベル１とし、最も不良である場合（モアレが表示に与える影響が最も大きい場合）をレベル４として、レベル１〜４の４段階で評価した。表示装置画素配列１における画素ピッチＰＸおよびＰＹは、いずれも８０ｕｍである。表示装置画素配列２における画素ピッチＰＸおよびＰＹは、いずれも９０ｕｍである。表示装置画素配列３における画素ピッチＰＸは９０ｕｍであり、画素ピッチＰＹは１２０ｕｍである。
【００２８】
これらの評価において、表示装置画素配列１に関しては、評価例８、１３−１７がレベル４、評価例１、２、９−１２、１８、２６、２９、３３がレベル３、評価例３、４、７、１９−２１、２５、３０、３２がレベル２、評価例５、６、２２−２４、２７、２８、３１がレベル１となった。表示装置画素配列２に関しては、評価例２５がレベル４、評価例１２−１４、２６、３０がレベル３、評価例１−７、１１、１５−２４、２９、３１がレベル２、評価例８−１０、２７、２８、３２、３３がレベル１となった。表示装置画素配列３に関しては、評価例５、１６、１７、２１−２３、２７、３３がレベル３、評価例２−４、６−８、１４、１５、１８−２０、２４−２６、２８、３１、３２がレベル２、評価例１、９−１３、２９、３０がレベル１となった。図７において、レベル２の評価結果等には薄いグレーでハッチングを付しており、レベル３またはレベル４の評価結果等には濃いグレーでハッチングを付している。
【００２９】
また、図８には、実験結果をもとに、表示装置の配列周期と照明装置の配置周期との比とモアレレベルの関係図を示す。画質に影響を及ぼさない、もしくは、観測者が不快に感じない範囲は、斜線で示される範囲となる。
【００３０】
図８に示す観測者が不快に感じない範囲を設計可能な範囲とすると、図４に示す表示装置の画素周期ＰＸ、ＰＹ，と発光部の周期ＬＸ、ＬＹとの比、ＬＸ／ＰＸ、ＬＹ／ＰＹは、（Ｎ＋Ｍ）倍の範囲が好ましく、Ｎは整数、Ｍは小数を示しており、０．０５＜Ｍ＜０．４５，０．５５＜Ｍ＜０．９５となる。さらに、０．２＜Ｍ＜０．４，０．６＜Ｍ＜０．８であれば、画質に影響をほぼ及ばさない設計となり、より好ましい。
【００３１】
このように、照明装置の平面上に分散して配置された発光部および電極配線の周期的配列間隔と、反射表示装置の画素配列間隔を適切に設計することで干渉による画質への影響を防ぐことができる。
【００３２】
図９には、発光部の配置におけるランダム設計の説明図、および図１０にはある画素配列周期の表示装置と発光部の配置にランダム設計を行った照明装置を組み合わせた場合の画質を評価した結果の一例を示す。図９に示す第１の方向に関して、隣接する発光部間の距離をＬＸ１１、ＬＸ２１のように示し、照明装置の発光面全体で発光部間距離の平均をとったものはＬＸ（ａｖｅ）とする。発光部はおおよそ等ピッチで配列しているが、ランダム設計により本来の等ピッチ配置よりずれた箇所に配置されており、そのずれ量は発光部ごとに必ずしも一致しない。図１０は隣接発光部間距離（ＬＸ１１、ＬＸ２１・・・）の最大値および最小値と発光面全体の発光部間距離ＬＸ（ａｖｅ）の関係とそのときの表示品位の関係を示したものである。
【００３３】
これらの評価結果において、発光部間距離の最大値と最小値と面内における平均値ＬＸ（ａｖｅ）の関係を、平均値に対するばらつきで示しており、評価例１から評価例６では平均値に対するばらつきが大きくなるほどモアレレベルが改善している。一方で評価例７、８ではモアレレベルは改善しているものの表示がざらざらして見えるざらつき不良が発生しているため、表示品位としては悪くなる。評価例９から評価例１４、評価例１５から評価例２１に関しても同様であり、平均値に対するばらつきが大きくなるとモアレレベルは改善しているが、大きくなりすぎるとざらつき不良が発生する。評価結果より、配置のピッチによらず平均値に対するばらつきが、２０ｕｍより大きくなってくるとざらつきが増え、表示の品位としては許容できない程度になり不具合となる。
【００３４】
ここでは第1の方向に関する評価結果のみ示すが、図８に示すようにランダム配置の設計は第２の方向にもなされており、第２の方向における発光部の配置ピッチ（ＬＹ１１、ＬＹ２１・・・）の最大値および最小値と発光面全体の配置ピッチの平均値ＬＹ（ａｖｅ）の関係がおよぼす表示品位への影響も同様の結果となる。
【００３５】
図１１には、もう一例として、、発光部の配置におけるランダム設計の説明図、および図１２にはある画素配列周期の表示装置と発光部の配置にランダム設計を行った照明装置を組み合わせた場合の画質を評価した結果を示す。前述の図９および図１０にて説明した評価例では、第１の方向および第２の方向における発光部間の距離（ＬＸ１１、ＬＸ２１・・・およびＬＹ１１、ＬＹ２１・・・）と発光面内全体で発光部間の距離の平均をとった値（ＬＸ（ａｖｅ）およびＬＹ（ａｖｅ））との関係と、そのときの表示品位の評価結果を示した。本例では、ある１つの発光部から見たときに最も近接する複数の発光部との距離（例えば図１１のＷ２１−２２、Ｗ１２−２２、Ｗ２３−２２、Ｗ３３−２２、Ｗ３２−２２、Ｗ３１−２２）の平均をとった値Ｗａｖｅを定義する。図１２ではこのＷａｖｅをさらに発光面全体の各発光部について平均をとった値に対して、面内の各発光部におけるＷａｖｅの値がある範囲でばらつかせ、表示品位がどのように変化するかを評価した結果を示している。
【００３６】
これらの評価結果において、発光面内におけるＷａｖｅの最大値および最小値と面内における平均値と平均値と最大値および最小値から割り出される全体平均に対するばらつきを示しており、評価例１から評価例５では全体平均に対するばらつきが大きくなるほどモアレレベルが改善している。一方で評価例６、７ではモアレレベルは改善しているものの表示がざらざらして見えるざらつき不良が発生しているため、表示品位としては悪くなる。評価例８から評価例１３、評価例１４から評価例２０に関しても同様であり、全体平均に対するばらつきが大きくなるとモアレレベルは改善しているが、大きくなりすぎるとざらつき不良が発生する。評価結果より、発光部の配置のピッチによらず全体平均に対するＷａｖｅのばらつきが、１０ｕｍより大きくなってくるとざらつきが増え、表示の品位としては許容できない程度になり不具合となる。
【００３７】
図１３の（Ａ）乃至（Ｃ）に、実施の形態に係る照明装置２０の発光部の断面図を示す。透光性の基材４１の平面上に設けられた、発光層２６からの発光が、観測者に直視されず、観測者側からの外光の反射を防ぎ表示装置の視認性を阻害しない為の遮光層２４ａがパターン形成され、遮光層２４ａに平面的に重なるように、導電性を示す金属光沢を有した材料で形成された光制御層２４ｂを備えており、光制御層２４ｂは、発光素子を駆動するための第１電極として機能する。反射層２４ｂは、絶縁層２５で覆われ、発光領域の断面幅ＥＸにあたる領域の絶縁層２５が除去されたコンタクト部に、発光層２６が覆っている。発光層２６は、照明装置の発光領域全面を覆っていてもよいし、コンタクト部を完全に覆い、コンタクト部よりも大きな面積を持つように部分的に覆う構造でもよい。発光層２６に平面的に重なるように透光性を有する導電層２７aが積層され、導電層２７aは第２電極として機能する。また、発光素子全体の劣化を防止し、平坦性を保つための劣化防止層４１が素子全体を覆っている。
【００３８】
遮光層２４ａは、光を吸収する材料、例えば黒色の樹脂膜、酸化クロム膜、誘電率の異なる複数の積層膜で形成される。光制御層２４ｂ、例えば、アルミニウム（Ａｌ）、銀（Ａｇ）及び、それらの元素を主体とする合金等で形成される。また、遮光層２４ａと反射層２４ｂは、層をそれぞれ基板上に堆積し、パターニングをして形成するか、または、遮光層２４ａと反射層２４ｂを堆積後にパターン形成してもよい。発光領域の形状は、円、正四角形、長方形、多角形のいずれでもよく、遮光層２４ａは、光制御層２４ｂと同じ大きさＳＸ、もしくは、遮光層２４ａ≧光制御層２４ｂ＞発光領域幅EXという大小関係になっていることが好ましい。また、導電層２７aは、例えば、酸化インジウム錫膜（ＩＴＯ：Indium  Tin  Oxide）、酸化インジウム亜鉛（ＩＺＯ：Indium  Zinc  Oxide）、などの材料によって形成される。
【００３９】
次に、発光層２６は、電流駆動型の発光素子であり、例えば、有機エレクトロルミネッセンス素子（ＯＥＬ：organic electro-luminescence）、発光ダイオード（ＬＥＤ：Light Emitting Diode）といった発光素子を用いることができる。有機エレクトロルミネッセンス素子は、発光層２６に、不図示のホール注入層、ホール輸送層、有機層、電子輸送層、電子注入層を含んでいる。有機層は、２色以上の異なる発光、例えば、赤色と緑色と青色、青色発光と黄色発光、シアン発光とオレンジ発光を上記の不図示の各層で積層し、白色を発光する構成としてもよい。もしくは、２種類以上の異なる発光層を平面に近接させて配置し、表示装置面上で発光素子の光を加法混色することによって白色を発光する構成としてもよい。図示した発光層２６は全面に堆積しているが、コンタクト部を覆うように部分的に形成してもよい。
【００４０】
以上のような構成により、図１３（Ａ）は、発光素子から放射される光が基材４１と対向する劣化防止層４２側に分布するように制御される。反射型表示装置の表示領域は、発光素子の劣化防止層を含む保護膜４２と対向するように配置される。次に、図１３（Ｂ）は、透光性の基材４１の平面上に設けられた、発光層２６からの発光が、観測者に直視されず、観測者側からの外光の反射を防ぎ表示装置の視認性を阻害しない為の遮光層２４ａがパターン形成され、遮光層２４ａに平面的に重なるように、導電性を示す金属光沢を有した材料で形成された光制御層２４ｂを備えている。光制御層２４ｂに平面視で重なるように、透光性の導電層２７ｂが堆積されている。導電層２７ｂは絶縁層２５で覆われ、発光領域の幅ＥＸにあたる領域の絶縁層２５は除去され、発光層２６が積層されている。導電層２７ｂは、発光素子を駆動するための第１電極として機能する。光制御層２４ｂと導電層２７ｂは接している構成でも、別の層を介して接していてもよい。さらに、発光層２６に平面的に重なるように透光性を有する導電層２７aが積層され、導電層２７aは第２電極として機能する。
【００４１】
遮光層２４ａは、光を吸収する材料、例えば黒色の樹脂膜、酸化クロム膜、誘電率の異なる複数の積層膜で形成される。光制御層２４ｂ、例えば、アルミニウム（Ａｌ）、銀（Ａｇ）及び、それらの元素を主体とする合金等で形成される。また、遮光層２４ａと反射層２４ｂは、層をそれぞれ基板上に堆積し、パターニングをして形成するか、または、遮光層２４ａと反射層２４ｂを堆積後にパターン形成してもよい。発光領域の形状は、円、正四角形、長方形、多角形のいずれでもよく、遮光層２４ａは、光制御層２４ｂと同じ大きさＳＸ、もしくは、遮光層２４ａ≧光制御層２４ｂ＞発光領域幅EXという大小関係になっていることが好ましい。また、導電層２７a、導電層２７ｂは、例えば、酸化インジウム錫膜（ＩＴＯ：Indium  Tin  Oxide）、酸化インジウム亜鉛（ＩＺＯ：Indium  Zinc  Oxide）、などの材料によって形成される。
【００４２】
次に、発光層２６は、電流駆動型の発光素子であり、例えば、有機エレクトロルミネッセンス素子（ＯＥＬ：organic electro-luminescence）、発光ダイオード（ＬＥＤ：Light Emitting Diode）といった発光素子を用いることができる。有機エレクトロルミネッセンス素子は、発光層２６に、不図示のホール注入層、ホール輸送層、有機層、電子輸送層、電子注入層を含んでいる。有機層は、２色以上の異なる発光、例えば、赤色と緑色と青色、青色発光と黄色発光、シアン発光とオレンジ発光を上記の不図示の各層で積層し、白色を発光する構成としてもよい。もしくは、２種類以上の異なる発光層を平面に近接させて配置し、表示装置面上で発光素子の光を加法混色することによって白色を発光する構成としてもよい。図示した発光層２６は全面に堆積しているが、コンタクト部を覆うように部分的に形成してもよい。
【００４３】
以上のような構成により、図１３（Ｂ）は、発光素子から放射される光が基材４１と対向する劣化防止層４２側に分布するように制御される。反射型表示装置の表示領域は、発光素子の劣化防止層を含む保護膜４２と対向するように配置される。
【００４４】
図１３（Ｃ）に、実施の形態に係る照明装置２０の発光部の断面図を示す。透光性の基材４１の平面上に設けられた、透光性の導電層２７aが堆積されており、導電層２７ａは絶縁層２５で覆われ、発光領域の幅ＥＸにあたる領域の絶縁層２５は除去され、発光層２６が積層されている。発光領域に平面的に重なるように、金属光沢を有する導電層２４ｂを形成し、さらに、発光層からの発光が、劣化防止層４２方向に漏れず、劣化防止層側から入射される光の反射を防ぐために、遮光層２４ａが形成されている。
【００４５】
遮光層２４ａは、光を吸収する材料、例えば黒色の樹脂膜、酸化クロム膜、誘電率の異なる複数の積層膜で形成される。光制御層２４ｂ、例えば、アルミニウム（Ａｌ）、銀（Ａｇ）及び、それらの元素を主体とする合金等で形成される。また、遮光層２４ａと反射層２４ｂは、層をそれぞれ基板上に堆積し、パターニングをして形成するか、または、遮光層２４ａと反射層２４ｂを堆積後にパターン形成してもよい。発光領域の形状は、円、正四角形、長方形、多角形のいずれでもよく、遮光層２４ａは、光制御層２４ｂと同じ大きさＳＸ、もしくは、遮光層２４ａ≧光制御層２４ｂ＞発光領域幅EXという大小関係になっていることが好ましい。また、導電層２７a、導電層２７ｂは、例えば、酸化インジウム錫膜（ＩＴＯ：Indium  Tin  Oxide）、酸化インジウム亜鉛（ＩＺＯ：Indium  Zinc  Oxide）、などの材料によって形成される。
【００４６】
次に、発光層２６は、電流駆動型の発光素子であり、例えば、有機エレクトロルミネッセンス素子（ＯＥＬ：organic electro-luminescence）、発光ダイオード（ＬＥＤ：Light Emitting Diode）といった発光素子を用いることができる。有機エレクトロルミネッセンス素子は、発光層２６に、不図示のホール注入層、ホール輸送層、有機層、電子輸送層、電子注入層を含んでいる。有機層は、２色以上の異なる発光、例えば、赤色と緑色と青色、青色発光と黄色発光、シアン発光とオレンジ発光を上記の不図示の各層で積層し、白色を発光する構成としてもよい。もしくは、２種類以上の異なる発光層を平面に近接させて配置し、表示装置面上で発光素子の光を加法混色することによって白色を発光する構成としてもよい。図示した発光層２６は全面に堆積しているが、コンタクト部を覆うように部分的に形成してもよい。
【００４７】
上記のような構成により、図１３（Ｃ）は、発光素子から放射される光が基材４１側に分布するように制御されている。したがって、図１３（Ｃ）の構成をもつ照明装置の場合、反射型表示装置の表示領域は、透光性の基板４１と対向するように配置される。
【００４８】
反射型の表示装置の種類によっては表示装置に入射する光の角度により、光学特性すなわち表示品位が変化することがある。例えば、反射型液晶表示装置の場合などは、表示領域の画素が規則的に配列されている平面に垂直な方向からの観測した場合、垂直な方向に近い角度で表示装置に入射する光に対するコントラストや色の彩度等の光学特性は高く、垂直方向からの角度が大きくなるにつれて、徐々に低くなることがある。さらに、反射型液晶表示装置の場合は、観測者が表示装置を観測する角度や、外光もしくは照明装置からの放射光の角度に対する強度分布によって光学特性が変化することがあり、表示装置の特性、使用設置される環境等を十分に考慮する必要がある。自然光を制御することは困難であるが、照明装置からの放射光の角度に対する強度分布を適切に制御することで、光学特性ならびに光利用効率（電力の光変換効率）の高い、照明装置を具備した表示装置の提供が可能となる。
【００４９】
図１４（１）乃至（６）は、実施の形態に係る照明装置２０の発光部の変形例を示す。例示の構成材料については、図１３（Ａ）乃至（Ｃ）の説明で記述しているために、ここでは図を用いて変形例の構造について説明する。図１４（１）の変形例では、基材４１の平面は、透光性の樹脂を用いた絶縁層２９で覆われ、絶縁層２９には凹部が形成されている。絶縁層２９の凹部には、発光層２６からの発光が、観測者に直視されず、観測者側からの外光の反射を防ぎ表示装置の視認性を阻害しない為の遮光層２４ａがパターン形成され、遮光層２４ａに平面的に重なるように、導電性を示す金属光沢を有した材料で形成された光制御層２４ｂを備えており、光制御層２４ｂは、発光素子を駆動するための第１電極として機能する。反射層２４ｂは、絶縁層２５で覆われ、凹部領域の絶縁層２５が除去されたコンタクト部を形成する。また、発光層はコンタクト部を覆っている。発光層２６は、照明装置の発光領域全面を覆っていてもよいし、コンタクト部を完全に覆い、コンタクト部よりも大きな面積を持つように部分的に覆う構造でもよい。発光層２６に平面的に重なるように透光性を有する導電層２７ａが積層され、導電層２７ａは第２電極として機能する。また、発光素子全体の劣化を防止し、平坦性を保つための劣化防止層４１が素子全体を覆っている。
【００５０】
上記のように、発光領域が凹構造を有している場合、発光層２６、例えば、有機エレクトロルミネッセンス素子などは非常に薄い堆積層で構成されている為、凹凸の屈曲点付近で発光層２６の膜厚が不均一に堆積することがあり、発光層２６を介して接している第１電極と第２電極とが直接電気的に短絡することがある。そのため、発光層２６と光機能層２４ｂを、凹部の屈曲部や平坦度が低い部分を避けて接するように絶縁層２５のコンタクト部を形成するのが好ましい。
【００５１】
図１４（１）では、発光層２６から放射される光のうち、劣化防止層４２にはおよそ等方的な強度分布を持つ放射光となるが、基材４１側に放射する光は凹形状を有する光制御層で反射される際に基板平面に垂直な光の成分を増加することが可能となる。
【００５２】
次に、図１４（２）の変形例では、基材４１の平面上に設けられた、発光層２６からの発光が、観測者に直視されず、観測者側からの外光の反射を防ぎ表示装置の視認性を阻害しない為の遮光層２４ａが形成されている。また、遮光層２４ａは、透光性の樹脂を用いた絶縁層２９で覆われ、絶縁層２９には一つの凹部が形成されている。絶縁層２９の凹部と平面視で重なり、導電性を示す金属光沢を有した材料で形成された光制御層２４ｂが形成されており、光制御層２４ｂは、発光素子を駆動するための第１電極として機能する。光制御層２４ｂは遮光層２４ａよりも面積が小さく、基材４１側から基板平面に垂直な方向から見た場合に、遮光層２４ａで覆われ、光制御層２４ｂは視認することができない。また、光制御層２４ｂは、絶縁層２５で覆われ、凹部領域の絶縁層２５が除去されたコンタクト部を形成する。また、発光層はコンタクト部を覆っている。発光層２６は、照明装置の発光領域全面を覆っていてもよいし、コンタクト部を完全に覆い、コンタクト部よりも大きな面積を持つように部分的に覆う構造でもよい。発光層２６に平面的に重なるように透光性を有する導電層２７ａが積層され、導電層２７ａは第２電極として機能する。また、発光素子全体の劣化を防止し、平坦性を保つための劣化防止層４１が素子全体を覆っている。
【００５３】
上記のように、発光部に対して、発光領域が凹構造で形成されている場合、発光層２６、例えば、有機エレクトロルミネッセンス素子などは非常に薄い堆積層で構成されている為、凹凸の屈曲点付近で発光層２６の膜厚が不均一に堆積することがあり、発光層２６を介して接している第１電極と第２電極とが直接電気的に短絡することがある。そのため、発光層２６と光機能層２４ｂを、凹部の屈曲部や平坦度が低い部分を避けて接するように絶縁層２５のコンタクト部を形成するのが好ましい。
【００５４】
図１４（２）では、発光層２６から放射される光のうち、劣化防止層４２にはおよそ等方的な強度分布を持つ放射光となるが、基材４１側に放射する光は凹形状を有する光制御層で反射される際に基板平面に垂直な光の成分を増加させる。
【００５５】
次に、図１４（３）の変形例では、基材４１の平面上に設けられた、発光層２６からの発光が、観測者に直視されず、観測者側からの外光の反射を防ぎ表示装置の視認性を阻害しない為の遮光層２４ａが形成されている。また、遮光層２４ａは、透光性の樹脂を用いた絶縁層２９で覆われ、絶縁層２９には複数の凹部が形成されている。絶縁層２９の複数の凹部と平面視で重なり、導電性を示す金属光沢を有した材料で形成された光制御層２４ｂが形成されており、光制御層２４ｂは、発光素子を駆動するための第１電極として機能する。光制御層２４ｂは遮光層２４ａよりも面積が小さく、基材４１側から基板平面に垂直な方向から見た場合に、遮光層２４ａで覆われ、光制御層２４ｂは視認することができない。また、光制御層２４ｂは、絶縁層２５で覆われ、凹部領域の絶縁層２５が除去されたコンタクト部を形成する。また、発光層はコンタクト部を覆っている。発光層２６は、照明装置の発光領域全面を覆っていてもよいし、コンタクト部を完全に覆い、コンタクト部よりも大きな面積を持つように部分的に覆う構造でもよい。発光層２６に平面的に重なるように透光性を有する導電層２７ａが積層され、導電層２７ａは第２電極として機能する。また、発光素子全体の劣化を防止し、平坦性を保つための劣化防止層４１が素子全体を覆っている。
【００５６】
上記のように、発光部に対して、複数の発光領域が凹構造で形成されている場合、発光層２６、例えば、有機エレクトロルミネッセンス素子などは非常に薄い堆積層で構成されている為、凹凸の屈曲点付近で発光層２６の膜厚が不均一に堆積することがあり、発光層２６を介して接している第１電極と第２電極とが直接電気的に短絡することがある。そのため、発光層２６と光機能層２４ｂを、凹部の屈曲部や平坦度が低い部分を避けて接するように絶縁層２５のコンタクト部を形成するのが好ましい。
【００５７】
図１４（３）では、発光層２６から放射される光のうち、劣化防止層４２にはおよそ等方的な強度分布を持つ放射光となるが、基材４１側に放射する光は細かな複数の凹形状を有する光制御層で反射され、図１４（２）に比べ、表示基板平面に垂直な光の成分を増加させることができる。
【００５８】
次に、図１４（４）の変形例では、基材４１の平面上に設けられた、発光層２６からの発光が、観測者に直視されず、観測者側からの外光の反射を防ぎ表示装置の視認性を阻害しない為の遮光層２４ａが形成されている。また、遮光層２４ａは、透光性の樹脂を用いた絶縁層２９で覆われ、絶縁層２９には複数の凹部が形成されている。絶縁層２９の複数の凹部と平面視で重なり、金属光沢を有する導電材料で形成された光制御層２４ｂが形成されている。また、光制御層２４ｂに、凹凸部を含む発光素子全面を覆うように絶縁層２８を堆積し、凹凸部の差の少ないおよそ平坦な表面を形成し、透光性を有する導電性の導電層２７ａを堆積する。導電層２７ａは第１電極として機能し、図示したように、絶縁層２８にコンタクト部を形成し光機能層２４ｂと電気的につながっている構造でもよいし、つながっていなくても良い。さらに、導電層２７ａは絶縁層２５で覆われ、凹部領域の絶縁層２５が除去されたコンタクト部を形成する。また、発光層はコンタクト部を覆っている。発光層２６は、照明装置の発光領域全面を覆っていてもよいし、コンタクト部を完全に覆い、コンタクト部よりも大きな面積を持つように部分的に覆う構造でもよい。発光層２６に平面的に重なるように透光性を有する導電層２７ａが積層され、導電層２７ａは第２電極として機能する。また、発光素子全体の劣化を防止し、平坦性を保つための劣化防止層４１が素子全体を覆っている。
【００５９】
図１４（４）は、発光部に対して、複数の発光領域が凹構造で形成されているが、図１４（２），図１４（３）に比べ、発光層２６と導電層２７ａ、導電層２７ｂの接する面は、およそ平坦であるため、発光部での電極間短絡の短絡は発生しにくい構造となる。したがって、図１４（４）は、発光領域の面積を大きくとることができ、発光層２６から放射される光のうち、劣化防止層４２にはおよそ等方的な強度分布を持つ放射光となるが、基材４１側に放射する光は細かな複数の凹形状を有する光制御層で反射され、表示基板平面に垂直な光の成分を増加させることができる。
【００６０】
図１４（１）乃至図１４（４）までは、光制御層２４ｂの形状を台形の凹凸構造を図示して説明したが、台形形状に限られない。例えば、図１４（５）に示すように放物線状の形状でもよいし、図１４（６）に示すように、発光領域が一方向へ傾斜している非対称な構造でもよい。
【００６１】
以上のように発光部の構造を図１４（１）乃至図１４（６）を用いて説明したが、表示装置の光学特性や照明装置を含む表示装置と観測者の位置を考慮して、光制御層２３ｂの凹凸構造の形状を適切に形成し、照明装置から放射される光の分布を制御することで、光の利用効率が高められ、低消費電力でも明るい表示を提供できる。
【００６２】
図１５を用いて、発光部２１の電極構造について説明する。透光性の基材４１の平面上に設けられた、発光層２６からの発光が、観測者に直視されず、観測者側からの外光の反射を防ぎ表示装置の視認性を阻害しない為の遮光層２４ａがパターン形成され、遮光層２４ａに平面的に重なるように、導電性を示す金属光沢を有した材料で形成された光制御層２４ｂを備えており、光制御層２４ｂは、発光素子を駆動するための第１電極として機能する。反射層２４ｂは、絶縁層２５で覆われ、、絶縁層２５は、発光部の中心から同心円状にスリットがパターニングされ、発光領域の絶縁層２５が除去されたコンタクト部に、発光層２６が積層されている。さらに、発光層２６に平面的に重なるように透光性を有する導電層２７ａが積層され、導電層２７ａは第２電極として機能する。また、発光素子全体の劣化を防止し、平坦性を保つための劣化防止層４１が素子全体を覆っている。
【００６３】
図１６は、図１５の平面図を示す。発光部２１には、発光領域４３ａと非発光領域４３ｂが、発光部の中心に対して、同心円状に交互に形成されている。図１０Ｂの発光点の中心部は、非発光領域４３ｂであり、発光中心からそれぞれＬｒ１、Ｌｒ２、Ｌｒ３、Ｌｒ４の距離を離れて、非発光領域４３ｂが形成されている。図１５に示す発光部２１の周期的に異なる発光位置からの光の位相の違いにより、特定の焦点で振幅が強め合うように設計されてる。隣接する発光領域から放射される光は、例えば、パターンの焦点で位相は同じで１波長分だけ異なるため、互いに足しあわされて振幅が大きくなる。このように、図１６の電極形状から放射される光は、図１５に示すように、発光面からの距離Ｈ離れた焦点Ｆで強め合うように設計されてる。
【００６４】
また、この発光部２１の中心から、発光領域との距離Ｈは、次式で表される。λ０は波長で、Ｈは焦点までの距離を示している。一般にゾーンプレートとも呼ばれることがある。
2020101720.tif 000003
尚、発光領域４３ａと非発光領域４３ｂは、発光中心部分が発光領域でもよく、その場合は隣接する発光領域の距離は次式であらわされる。
2020101720.tif 000004
【００６５】
以上のように、発光部の電極構造を図１５、図１６を用いて説明したが、表示装置の光学特性や照明装置を含む表示装置と観測者の位置を考慮して、発光領域と非発光領域を同心円状に形成し、照明装置から放射される光の振幅を増大させ、集光するように制御することで、光の利用効率が高められ、低消費電力でも明るい表示を提供できる。
【００６６】
次に、別の実施の形態に係る照明装置によれば、図１７に示すように、前述した照明装置２０と表示装置１０との間に、光制御層５０ａが配置されている。光制御層５０ａは、外光および照明装置から光制御層５０ａに入射する光の角度に対する強度分布とは異なる光の角度に対する強度分布に変えて出射する機能を有する。図１７に詳細は不図示だが、およそ球面レンズが発光部に対応するように形成されており、照明装置２０からの光を表示装置１０の表示領域を含む平面に垂直に近づく角度に屈折させる例を図示している。光制御層５０ａは、非球面レンズが発光部に対応するように形成されていてもよいし、複数の発光部に対して、一つのレンズが対応している、例えばレンチキュラーレンズでもよい。上記のマイクロレンズ、レンチキュラーレンズは、レンズ材質と空気との屈折率差を利用する場合には表面に凹凸構造が形成されていることになる。
【００６７】
また、円柱状の断面の中心から外周に向かって放物線状に屈折率を分布させることにより、球面のマイクロレンズと同様の効果を有した円筒形のレンズがある。円筒レンズを発光部に対応するように平面に配列し、円柱形の最外周部の屈折率とおおむね同じ屈折率をもつ材質で円筒レンズ間を埋めることにより、表面の平滑な光制御層５０ａを作成することが可能である。
【００６８】
上記のように、外光および照明装置からの放射光の分布を制御して、反射型の表示装置２０に入射することで、入射光を効率よく反射されることができ、光学特性すなわち見栄えの良好な表示装置を提供できる。
【００６９】
次に、別の実施の形態に係る照明装置によれば、図１８に示すように、前述した照明装置２０と表示装置１０との間に、光制御層５０ｂが配置されている。光制御層５０ａは、外光および照明装置から光制御層５０ａに入射する光の角度に対する強度分布とは異なる光の角度に対する強度分布に変えて出射する機能を有する。光制御層５０ｂは、例えば、入射光の角度により光の散乱特性が異なる異方性散乱層である。異方性散乱層は、図１８に示すように、散乱を示す角度範囲に入射した光を入射した角度よりも表示装置１０の表示領域を含む平面に垂直に近づく角度側に散乱する。照明装置からの特定の放射光を、表示装置１０の垂直方向に多く分布させることができる。光制御層５０ｂは、視野角特性や観測者の位置、仕様環境を考慮し設計されるが、反射型の表示装置の多くの場合は、表示装置１０の垂直方向に多く分布させることが好ましい。
【００７０】
異方性散乱層は、基材の屈折率とは異なる屈折率をもつ微小な領域が、柱状もしくはルーバー状に形成されており、特定の範囲の入射角を持つ光に対して散乱するように設計されている。一方、それ以外の角度範囲から入射される光に対しては、およそ散乱しない。例えば、外光が入射する角度の光に対しては、散乱せずに表示装置に入射させるように光制御層５０ｂを配置し、照明装置からの放射光の一部を制御する。
【００７１】
上記のように、外光および照明装置からの放射光の分布を制御して、反射型の表示装置２０に入射することで、入射光を効率よく反射されることができ、光学特性すなわち見栄えの良好な表示装置を提供できる。
【００７２】
次に、別の実施の形態に係る照明装置によれば、図１９に示すように、Ｘ軸（第１の方向）に周期的に配置した複数の発光部２１を同時に駆動できるように導電配線が延在しており、導電配線は発光素子の発光層に接する第１電極と電気的につながっている。図１９の例示では、Ｘ方向に延在した導電配線をＹ方向に２本ずつ結線し、結線された導電配線Ｅ１ａ、導電配線Ｅ１ｂ、導電配線Ｅ１ｃから発光素子を駆動する第１電極に給電する。次に、図１９のＥ２ａは透光性を有する導電層で形成し、すべての発光素子と接するように形成され、発光素子の発光層に接する第２電極と電気的につながっている。以上のように、発光素子の第１電極と導通しているＥ１ａ、Ｅ１ｂ、Ｅ１ｃと第２電極と導通しているＥ２ａを用いることで、領域ごとの点灯状態を制御可能とする。
【００７３】
次に、図２０は、Ｘ軸（第１の方向）に周期的に配置した複数の発光部２１を同時に駆動できるように導電配線が延在しており、導電配線は発光素子の発光層に接する第１電極と電気的につながっている。図２０の例示では、Ｘ方向に延在した導電配線をＹ方向に２本ずつ結線し、結線された導電配線Ｅ１ａ、導電配線Ｅ１ｂ、導電配線Ｅ１ｃから発光素子を駆動する第１電極に給電する。次に、図２０の電極Ｅ２ａ、電極Ｅ２ｂは透光性を有する導電層で面内を２分割するように形成され、それぞれ発光素子の発光層に接する第２電極と電気的につながっている。上記のように、発光素子の第１電極と導通しているＥ１ａ、Ｅ１ｂ、Ｅ１ｃと第２電極と導通しているＥ２ａ、Ｅ２ｂを用い、単純マトリクス駆動することで、領域ごとの点灯状態を制御可能とする。
【００７４】
以上のように照明装置の点灯状態を部分的に制御できることで、例えば、表示装置の一部にのみ情報を表示する際には、より低消費電力で動作することが可能となる。また、環境光の強度と表示装置の画像データに対応して点灯状態を制御することで、より低消費電力で動作することが可能となる。さらに、分割数を増えると、画像データのうち、強調したい領域を明るく表示することや、画像の明暗をより明確に表現することが可能となる。これにより、低消費電力の実現とともに、視認性の高い照明装置付きの表示装置を提供することが可能となる。
【００７５】
また、図２１は、Ｘ軸（第１の方向）に周期的に配置した複数の発光部２１を同時に駆動できるように導電配線が延在しており、導電配線は発光素子の発光層に接する第１電極と電気的につながっている。図１９の例示では、Ｘ方向に延在した導電配線をＹ方向に２本ずつ結線し、結線された導電配線Ｅ１ａ、導電配線Ｅ１ｂ、導電配線Ｅ１ｃから発光素子を駆動する第１電極に給電する。次に、図２０の電極Ｅ２ａ、電極Ｅ２ｂは透光性を有する導電層で面内２つの領域に形成され、それぞれ発光素子の発光層に接する第２電極と電気的につながっている。
【００７６】
上記のように、発光素子の第１電極と導通しているＥ１ａ、Ｅ１ｂ、Ｅ１ｃと第２電極と導通しているＥ２ａ、Ｅ２ｃを用い、領域ごとの点灯状態を制御可能とする。また、図２１の例示では、Ｅ１ａ，Ｅ１ｂとＥ２ａで点灯制御する領域には、発光部からの放射光が直視できる向きに発光素子が形成されている。また、Ｅ１ｃとＥ２ｃで点灯制御する領域には、発光部からの放射光が直視できる向きとは逆向きとなるように発光素子が形成されている。以上のように照明装置の点灯状態および発光素子からの放射光の向きを制御することで、反射表示装置の視認性を高める為の照明装置として、また観測者に直接情報を伝達する表示装置の機能を有する照明装置を提供することが可能となる。
【００７７】
次に、別の実施の形態に係る照明装置によれば、図２２に示すように、照明装置に発光部と近接検出センサ（タッチセンサ）とを備えた照明装置の配線が照明装置上に形成されている。図２２では、発光素子に電気的に接続されてる第１電極に対して、Ｘ軸（第１の方向）に沿って周期的に配置した発光部を同時に点灯できるように配線２２を形成し、それぞれの配線をすべての発光部を同時に点灯できるように結線している。次に、図１４の配線２３は透光性を有する導電層で形成された第２電極であり、Ｙ軸（第２の方向）にすべての発光素子と接するように配線されている。このように、第１電極と第２電極との交点で発光層と接する発光部は点灯するが、その他の交差部は絶縁層が覆っているために発光層が堆積されていたとしても発光部として機能することはない。
【００７８】
また、図２２は、Ｘ軸（第１の方向）に沿って発光部に平面的に重ならない導電性を有する配線６１ａ、配線６１ｂと、Ｙ軸（第２の方向）に沿って発光部に平面的に重ならない導電性を有する配線６０ａ、配線６０ｂ、配線６０ｃが絶縁層を介して形成されている。配線６１ａ、配線６１ｂは駆動信号パルスを印加する送信側の駆動電極として、配線６０ａ、配線６０ｂ、配線６０ｃは、近接検出信号を出力する近接検出電極として形成されている。図２２に示す駆動電極と近接検出電極は絶縁膜を介して、平面視で互いに交差した交差部分に静電容量が生じ、人体の一部などが近接した際の静電容量の変化を検出して、近接の有無と位置情報を得る。
【００７９】
また、図２２では、近接検出電極と駆動電極は交差部で対向し、ストライプ状に複数に分割されているがこの形状に限られない。例えば、駆動電極も櫛歯形状であっても、曲線形状でもよい。また、近接検出電極または駆動電極は、複数に分割されていればよく、分割するスリット形状は直線であっても、屈曲部を持つ形状でもあっても、曲線であってもよい。
【００８０】
また、図２２では、近接検出センサを照明領域全面に配置した例示としているが、照明領域と近接センサを配置する領域は重ならない領域に配置してもよい。
【００８１】
また、照明装置に、発光部用に用いられている導電層もしくは追加の導電層に、フォトダイオードを接するように形成して、外光照度の検出や反射表示の反射輝度を検出する機能を有する照明装置としてもよい。
【００８２】
また、照明装置に、発光部用に用いられている導電層もしくは追加の導電層で電極および回路を形成し、抵抗値の変化で温度を検出する機能を有する照明装置としてもよい。
【００８３】
以上のように、照明装置に、発光部用に用いられている導電層もしくは追加の導電層で近接検出センサを形成することは、反射型表示装置に、近接センサを形成したセンサ基板を平面視で重なるように積層する構造に比べて、表示装置全体の薄型化や光学特性に及ぼす影響を抑制することができる。また、照明装置に形成するセンサは、照度や温度を検出するセンサでもよく、センサ基板を平面視で表示装置と重なるように積層する構造に比べて、表示装置全体の薄型化や光学特性に及ぼす影響を抑制した表示装置を提供することができる。
【００８４】
次に、照明装置の発光部２１の電極並びに電極に給電する配線の平面構造を図２３から図２７の例示を用いて説明する。図２３乃至図２７には、発光部２１のうち、第１電極２２（平面図向かって左）の平面図、と第２電極２３（平面図向かって右）を示す。第１電極と第２電極の間に不図示だが絶縁膜が堆積されており、発光領域２１の絶縁膜は除去され、発光層が堆積された構造となっている。図２３乃至図２７は、発光点を直視する方向から見た例示となっている。
【００８５】
照明装置を製造する際に、照明装置の発光部２１の発光領域に欠陥があり、第１電極と第２電極が短絡すると、全面もしくは発光部２１の第１電極と第２電極のいずれかと電気的に接続されている発光点へ十分な電流を供給できなくなり輝度低下を引き起こしたりする為、照明装置として機能しないことがある。また、発光部２１以外でも、第１電極と第２電極の絶縁膜に欠陥がある場合にも同様に、照明装置として機能しないことがある。照明装置に発生する１箇所の不良で、照明装置全体として機能しなくなるため、完成品の良品率が低下してしまうという問題もある。
【００８６】
図２３に、発光点２１に発生した欠陥による照明装置の点灯不良を避けるための電極構造例を模式的に表す。発光部に電気的に短絡した不良が存在する場合は、不良のある発光点２１への電流供給を立ち切ることが必要となる。図２３の場合、発光部に電流供給する配線を、切断位置を表す点線Ｒ１部で、レーザー等を用いて切断することで、第１電極２２からの電流供給が断つことができ、不良発光部は機能しなくなるが、他の発光部は点灯することができる。また、第１電極と第２電極との間には、絶縁層もしくは、絶縁層と発光層が堆積されいるが、Ｒ１部を切断する際に、第１電極と第２電極との距離が近い為、切断時に短絡することがあり、切断位置Ｒ１部に対向する平面的に重なるの第２電極にスリット７０Ａを設けて、第１電極を切断する際の短絡を防止する構造を設ける構造を有している。
【００８７】
図２４は、発光点２１に発生した欠陥による照明装置の点灯不良を避けるための電極構造を模式的に表す。発光部に電気的に短絡した不良が存在する場合は、不良のある発光点２１への電流供給を立ち切ることが必要となる。図２４に示すように、発光部２１に電流供給する配線の一部にスリット７１を設け、切断位置Ｒ１部にて切断する。図１５Ｂの場合、スリットの一部を切断することで、発光部２１への電流供給は行われず、一方、他の発光点に供給する配線としては機能する為、同一配線上にある発光層の輝度を維持できる構造となる。また、第１電極と第２電極との間には、絶縁層もしくは、絶縁層と発光層が堆積されいるが、Ｒ１部を切断する際に、第１電極と第２電極との距離が近い為、切断時に短絡してしまうことがあるため、切断位置Ｒ１部に対向する平面的に重なるの第２電極にスリット７０Ｂを設けて、第１電極を切断する際の短絡を防止する構造を設ける構造を有している。
【００８８】
図２５は、発光点２１に発生した欠陥による照明装置の点灯不良を避けるための電極構造を模式的に表す。発光部に電気的に短絡した不良が存在する場合は、不良のある発光点２１への電流供給を立ち切ることが必要となる。図２５に示すように、発光部２１に電流供給する第２配線２３の一部にスリット７０Ｃを設け、切断位置Ｒ１部にて切断する。切断位置Ｒ１に平面的に重なる第１電極２２および第１電極に接続している配線はなく、前述した切断時の短絡は避けられる。第２電極の一部を切断することで、発光部２１への電流供給は行われないが、第２電極は他の発光点に供給する配線としては機能する為、第２電極を切断する際の短絡を防止する構造を設ける構造を有している。
【００８９】
図２６は、発光点２１に発生した欠陥による照明装置の点灯不良を避けるための電極構造を模式的に表す。発光部に電気的に短絡した不良が存在する場合は、不良のある発光点２１への電流供給を立ち切ることが必要となる。図２６に示すように、発光部２１に電流供給する平面電極２７Ｂの一部にスリット７２を設け、切断位置Ｒ１部にて切断する。図２６の場合、スリットの一部を切断することで、発光部２１への電流供給は行われず、一方、他の発光点に供給する配線としては機能する為、同一配線上にある発光層の輝度を維持できる構造となる。また、第１電極と第２電極との間には、絶縁層もしくは、絶縁層と発光層が堆積されいるが、Ｒ１部を切断する際に、第１電極と第２電極との距離が近い為、切断時に短絡してしまうことがあるため、切断位置Ｒ１部に対向する平面的に重なるの第２電極にスリットを設けて、第１電極を切断する際の短絡を防止する構造を設ける構造を有している。また、スリット形状とスリット位置を図２７のように形成してもよいし、第１電極と第２電極のスリット形状を入れ替えてもよい。
【００９０】
また、スリットの形状は上記のパターンに限定されるものではなく、円形、矩形、多角形、有限な幅を持つライン状で直線、曲線のいずれでもよく、第１電極、第２電極のうち、少なくとも１一方の電極平面上にスリットを設け、電極の一部を切断し、発光点２１への電流供給を断つ際の第１電極と第２電極との短絡を防止できるスリットを形成する構造であればよい。
【００９１】
以上の構造は、欠陥のある発光部に対して、発光部への電流供給を断ち切ることができ、他の発光点への影響を抑制できる。また、電流供給を断ち切る際に副次的に発生する短絡不良を避けられ、完成品の良品率を高められる。不良発光部から光の放射はないが、照明装置には微小な発光部を複数配置しており、また、近接する発光点は放射領域が重なるように発光点は千鳥配列している為、一つの発光点が不点灯な場合でも、欠陥による輝度ムラ、表示ムラは、不快に感じないレベルを実現できる。
【００９２】
（適用例１）
図２８を用いて、反射型表示装置１０と照明装置２０の適用例について説明する。照明装置２０と表示装置１０は平面的に重なるように配置され、照明装置２０は発光領域９０と発光領域９１に、発光方向の異なる放射光分布をもつ素子が形成されている。発光領域９０に形成した発光素子からの放射光は表示装置の表示領域１１に放射され、発光領域９１に形成した発光素子からの放射光は観測者側に発光するように構成されている。発光領域９０は、反射型の表示装置の照明装置として機能し、周囲の環境が暗い場合などに点灯することで、表示の視認を可能とする。発光領域９１に表示装置、例えば、単純マトリクス素子を形成し情報を表示したり、情報端末等が情報を受信した時に点滅したり、また、操作スイッチ類の位置を視覚的に補助したり、表示装置本体を起動することなく、観測者に様々な情報を提供することを可能にする。
【００９３】
（適用例２）
図２９を用いて、反射型表示装置１０と照明装置２０の適用例について説明する。照明装置２０と表示装置１０は平面的に重なるように配置され、照明装置２０は発光領域９０と発光領域９２に、発光方向の異なる放射光分布をもつ素子が形成されている。発光領域９１に形成した発光素子からの放射光は表示装置の表示領域１１に放射され、発光領域９２に形成した発光素子からの放射光は観測者側に発光するように構成されている。発光領域９０は、反射型の表示装置の照明装置として機能し、周囲の環境が暗い場合などに点灯することで、表示の視認を可能とする。発光領域９２と平面視で重なるように、撮像素子９３を配置し、例えば、照明装置２０を点灯し、観測者側から指を載せ、指紋を撮像素子９３で読み込む認証する機能の提供が可能となる。また、撮像素子で顔を認証することも可能となる。
【００９４】
（適用例３）
図３０を用いて、反射型表示装置１０と照明装置２０の適用例について説明する。照明装置２０と表示装置１０は平面的に重なるように配置され、照明装置２０は発光領域９０と発光領域９２に、発光方向の異なる放射光分布をもつ素子が形成されている。発光領域９１に形成した発光素子からの放射光は表示装置の表示領域１１に放射され、発光領域９４に形成した発光素子からの放射光は観測者側に発光するように構成されている。発光領域９０は、反射型の表示装置の照明装置として機能し、周囲の環境が暗い場合などに点灯することで、表示の視認を可能とする。発光領域９４には、発光素子と静電容量型近接検出素子が形成されている。近接検出素子により、表示画面の操作を行う、例えば、表示画像の頁を変える操作等が可能となり、操作部を発光領域とすることで、静電容量型近接検出素子のセンサ位置を視覚的に誘導することで、操作性に優れた表示装置の提供が可能となる。また、照明装置２０の発光部と同じ基板平面に素子を形成することで表面が平滑な意匠設計をもつ照明装置付き表示装置の提供を可能とする。
【００９５】
上述した実施の形態に係る画像表示装置は、携帯電話、スマートフォン、タブレットなどの携帯端末装置、デジタルカメラ、ノート型パーソナルコンピュータ、ビデオカメラ、或いは、車両に設けられるメータ又はカーナビゲーションシステムなどのあらゆる分野の電子機器に適用することが可能である。
【００９６】
本発明の実施形態および適用例で述べた様態によりもたらされる他の作用効果について、本明細書に記載された内容から、当業者において適宜想到し得る内容については、当然に本発明によりもたらされる効果と解される。
【符号の説明】
【００９７】
１０・・・表示装置
１１・・・表示領域
１２・・・画素
１３・・・対向基板（カラーフィルタ基板）
１４・・・駆動回路基板（ＴＦＴ基板）
１５，１６，１７・・・第１、第２、第３のカラーフィルタ層
１８・・・液晶層
２０・・・照明装置
２１・・・発光部
２２・・・第１電極配線
２３・・・第２電極配線
２４ａ・・・遮光層
２４ｂ・・・光制御層
２５、２８、２９・・・絶縁層
２７ａ，２７ｂ・・・透光性の電極
４０・・・放射光
４１・・・基材
４２・・・劣化防止層
４３ａ・・・発光領域
４３ｂ・・・非発光領域
５０ａ，５０ｂ・・・光制御層
５１・・・発光領域
７０Ａ，７０Ｂ，７０Ｃ，７０Ｄ，７０Ｅ・・・第２電極のスリット部
７１，７２，７３・・・第１電極のスリット部
９０，９２，９４・・・照明領域
９３・・・撮像素子
Ｌ（ｎ、ｍ）  発光部の配列位置
ＬＵＭ（ｎ、ｍ）  発光部の照明領域
ＬＸ  発光部の第１方向への配置周期
ＬＹ  発光部の第２方向への配置周期
ＰＸ  画素の第１方向への配列周期
ＰＹ  画素の第２方向への配列周期
ＳＸ  遮光部サイズ
ＥＸ  遮光部サイズ
【図１】
2020101720.tif 000007
【図２】
2020101720.tif 000008
【図３】
2020101720.tif 000009
【図４】
2020101720.tif 000010
【図５】
2020101720.tif 000011
【図６】
2020101720.tif 000012
【図７】
2020101720.tif 000013
【図８】
2020101720.tif 000014
【図９】
2020101720.tif 000015
【図１０】
2020101720.tif 000016
【図１１】
2020101720.tif 000017
【図１２】
2020101720.tif 000018
【図１３】
2020101720.tif 000019
【図１４】
2020101720.tif 000020
【図１５】
2020101720.tif 000021
【図１６】
2020101720.tif 000022
【図１７】
2020101720.tif 000023
【図１８】
2020101720.tif 000024
【図１９】
2020101720.tif 000025
【図２０】
2020101720.tif 000026
【図２１】
2020101720.tif 000027
【図２２】
2020101720.tif 000028
【図２３】
2020101720.tif 000029
【図２４】
2020101720.tif 000030
【図２５】
2020101720.tif 000031
【図２６】
2020101720.tif 000032
【図２７】
2020101720.tif 000033
【図２８】
2020101720.tif 000034
【図２９】
2020101720.tif 000035
【図３０】
2020101720.tif 000036